(57)【特許請求の範囲】
【請求項１】
映像、音声、データ等の回線インタフェース部を有するＡＴＭネットワークにおいて、
自ＡＴＭ交換機から対向するＡＴＭ交換機へ警報情報をＡＴＭセルにて転送する際に、複数の警報情報をコード化し、そのコード化した値と警報の状態を示すビットとをセル化し、対向するＡＴＭ交換機へ転送するステップと、
対向するＡＴＭ交換機において受信したＡＴＭセルからコード化された警報情報を抽出し、抽出した値をデコードして対応する警報情報として回線側へ転送するステップと
を備えることを特徴とするＡＴＭネットワークにおける警報情報転送方法。
【請求項２】
映像、音声、データ等の回線インタフェース部を有するＡＴＭネットワークにおけるＡＴＭ交換機であって、
前記回線インタフェース部内に、
自ＡＴＭ交換機から対向するＡＴＭ交換機へ警報情報をＡＴＭセルにて転送する際に、複数の警報情報をコード化し、そのコード化した値と警報の状態を示すビットとをセル化し、対向するＡＴＭ交換機へ転送する手段と、
対向するＡＴＭ交換機より受信したＡＴＭセルからコード化された警報情報を抽出し、抽出した値をデコードして対応する警報情報として回線側へ転送する手段と
を備えることを特徴とするＡＴＭ交換機。
【請求項３】
映像、音声、データ等の回線インタフェース部を有するＡＴＭ交換機によりＡＴＭセルを交換するＡＴＭネットワークシステムであって、
前記ＡＴＭ交換機の回線インタフェース部内に、
自ＡＴＭ交換機から対向するＡＴＭ交換機へ警報情報をＡＴＭセルにて転送する際に、複数の警報情報をコード化し、そのコード化した値と警報の状態を示すビットとをセル化し、対向するＡＴＭ交換機へ転送する手段と、
対向するＡＴＭ交換機より受信したＡＴＭセルからコード化された警報情報を抽出し、抽出した値をデコードして対応する警報情報として回線側へ転送する手段と
を備えることを特徴とするＡＴＭネットワークシステム。
【発明の詳細な説明】
【０００１】
【発明の属する技術分野】
本発明は、映像、音声、データ等の通信を行う既存端末や既存回線をＡＴＭネットワークに収容する際に、対向するＡＴＭ交換機間での警報情報の送受信をＡＴＭセル転送にて行う警報情報転送方法及びＡＴＭ交換機並びにＡＴＭネットワークシステムに関するものである。
【０００２】
【従来の技術】
従来、映像、音声、データ等を扱う６．３Ｍ（ＩＴＵ−ＴＧ・７０３）既存回線のデータをＡＴＭ交換機によりＡＴＭセル化して交換するＡＴＭネットワークシステムは、図４に示すように、ＡＴＭ網１を挟んで対向するＡＴＭ交換機１，２内に、６．３Ｍ回線インタフェース部４ａ，４ｂ、ＡＴＭスイッチ部５ａ，５ｂ、ＡＴＭ網インタフェース６ａ，６ｂを備えて構成される。
【０００３】
このようなシステムにおいて、対向するＡＴＭ交換機間で回線障害や保守情報等の警報情報の転送を行う場合、ＡＴＭセル流の中に保守・運用セル（以下、ＯＡＭセル）を挿入し、対向のＡＴＭ交換機にて該当セルを検出することにより、警報情報の送受信を行う。または、回線側より受信した警報情報をそのままセル化し、対向するＡＴＭ交換機へ常時警報情報セルとして送信し、対向するＡＴＭ交換機では受信したセルを分解し、指定ビットを参照し、警報を抽出し、回線へ該当警報を送出する。
【０００４】
警報情報の入出力に関わる回線インタフェース部４ａ，４ｂは、図５に示すように、６．３Ｍ回線フレーム終端部４０１、警報バイト生成／分離部４０２、セル化／デセル化部４０３、ＡＴＭスイッチインタフェース部４０４で構成され、６．３Ｍ既存回線からの映像、音声などのデータは６．３Ｍ回線フレーム終端部４０１で回線伝送フレームの終端と警報情報の抽出が行われ、警報バイト生成／分離部４０２で各警報情報がラッチされ、警報情報バイトが生成され、ユーザデータと警報バイトとに分離される。
【０００５】
次段のセル化／デセル化部４０３では、入力されたユーザデータと警報情報バイトのそれぞれに予め設定されたＶＰＩとＶＣＩが付加され、５３バイトのＡＴＭセルとしてＡＴＭスイッチインタフェース部４０４へ送出される。
【０００６】
また。逆の方向ではＡＴＭスイッチ部からの入力セルはＡＴＭスイッチインタフェース部４０４へ入力され、セル化／デセル化部４０３でセルヘッダが除去され、そのＶＰＩ／ＶＣＩ値によりユーザデータと警報バイトとに分離される。分離された警報バイトは警報バイト生成／分離部４０２へ転送され、各警報情報が分離されて６．３Ｍ回線フレーム終端部４０１へ送出される。
【０００７】
６．３Ｍ回線フレーム終端部４０１では入力された警報情報とユーザデータを指定の位置にマッピングし、６．３Ｍ既存回線へと送出する。
【０００８】
図３は、警報バイト生成／分離部４０２の構成を示すものであり、警報状態ラッチ部４０２１、パラレル−シリアル変換部４０２２、シリアル−パラレル変換部４０２３で構成される。
【０００９】
この構成において、６．３Ｍ回線フレーム終端部４０１からの警報情報は、警報状態ラッチ部４０２１にてラッチされ、パラレル−シリアル変換部４０２２で警報情報が化され、次段のセル化／デセル化部４０３へ送出される。
【００１０】
逆にセル化／デセル化部４０３からの警報情報（シリアルデータ）は、シリアル−パラレル変換部４０２３にてパラレルデータに変換され、変換後の警報情報（パラレルデータ）は次段の６．３Ｍ回線フレーム終端部４０１へ送られる。
【００１１】
図７は、従来構成において転送される警報情報の例を示す図であり、例えば１６種類の警報情報Ａ、Ｂ、Ｃ・・・Ｐを送る場合、２バイトを使用して、そのままセル化／デセル化部４０３に蓄積し、１セル分となったところでセルヘッダ７０１を付加してセル化して警報情報セルを送出する。
【００１２】
このように、従来の警報情報転送方法では、ＯＡＭセルの挿入による転送、あるいは警報情報をセル流化してユーザデータセル流の中に多重させ、対向するＡＴＭ交換機間での警報情報の送受信を行うようになっている。
【００１３】
【発明が解決しようとする課題】
しかしながら、従来のＡＴＭネットワークでの警報転送方法では、上記のように、回線より受信した警報情報をそのままセル流化し、ユーザデータセル流と多重して転送する構成であるため、ＡＴＭネットワークシステムの多様化に伴う警報転送の複雑化により、警報情報の種類が多数になると、警報情報のセル流の割合が増加し、それによりユーザデータの伝送効率を低下させるという問題がある。
【００１４】
本発明は、このような問題を解決するためになされたものであり、その目的は、警報情報セルに起因するユーザデータの伝送効率の低下を抑え、対向ＡＴＭ交換機間で効率良く警報情報を送受することができるＡＴＭネットワークにおける警報情報転送方法及びＡＴＭ交換機並びにＡＴＭネットワークシステムを提供することにある。
【００１５】
【課題を解決するための手段】
上記目的を達成するため、本発明の警報情報転送方法は、自ＡＴＭ交換機から対向するＡＴＭ交換機へ警報情報をＡＴＭセルにて転送する際に、複数の警報情報をコード化し、そのコード化した値と警報の状態を示すビットとをセル化し、対向するＡＴＭ交換機へ転送するステップと、対向するＡＴＭ交換機において受信したＡＴＭセルからコード化された警報情報を抽出し、抽出した値をデコードして対応する警報情報として回線側へ転送するステップとを備えることを特徴とする。
【００１６】
また、本発明のＡＴＭ交換機は、回線インタフェース部内に、自ＡＴＭ交換機から対向するＡＴＭ交換機へ警報情報をＡＴＭセルにて転送する際に、複数の警報情報をコード化し、そのコード化した値と警報の状態を示すビットとをセル化し、対向するＡＴＭ交換機へ転送する手段と、対向するＡＴＭ交換機より受信したＡＴＭセルからコード化された警報情報を抽出し、抽出した値をデコードして対応する警報情報として回線側へ転送する手段とを備えることを特徴とする。
【００１７】
また、本発明のＡＴＭネットワークシステムは、ＡＴＭ交換機の回線インタフェース部内に、自ＡＴＭ交換機から対向するＡＴＭ交換機へ警報情報をＡＴＭセルにて転送する際に、複数の警報情報をコード化し、そのコード化した値と警報の状態を示すビットとをセル化し、対向するＡＴＭ交換機へ転送する手段と、対向するＡＴＭ交換機より受信したＡＴＭセルからコード化された警報情報を抽出し、抽出した値をデコードして対応する警報情報として回線側へ転送する手段とを備えることを特徴とする。
【００１８】
このように本発明では、複数の警報情報をそのままセル化して転送するのではなく、警報情報をコード化して例えば１バイトのデータとしてセル化／デセル化部へ転送することにより、セル化／デセル化部からの警報情報セルの発生頻度が最小となるので、ＡＴＭネットワークで警報転送を行う場合に、ユーザデータの伝送効率の低下を抑えて対向装置間での警報情報の送受が可能になる。
【００１９】
【発明の実施の形態】
以下、本発明にかかるＡＴＭネットワークに既存回線を収容する際の対向するＡＴＭ交換機間での警報転送方法を図を参照して詳細に説明する。
【００２０】
まず、本発明が実施されるＡＴＭネットワークシステムは、図４に示したように、構成要素としてＡＴＭ網１及びＡＴＭ交換機２、３があるものとする。また、各ＡＴＭ交換機２，３は、図４に示したように、６．３Ｍ回線インタフェース部４ａ，４ｂ、ＡＴＭスイッチ部５ａ，５ｂ、ＡＴＭ網インタフェース部６ａ，６ｂから構成され、さらに６．３Ｍ回線インタフェース部４ａ，４ｂは、図５に示したように、６．３Ｍ回線フレーム終端部４０１、警報バイト生成／分離部４０２、セル化／デセル化部４０３、ＡＴＭスイッチインタフェース部４０４で構成されるものとする。
【００２１】
本発明で従来構成と異なる点は、警報バイト生成／分離部４０２を図１のように構成し、例えば図２に示すような１６種類の警報Ａ〜Ｐを転送する場合、予め設定した警報情報（警報Ａ〜Ｐ）とコード値（００００〜１１１１）との対応に従い、図３に示すように、１バイトのデータの中にコード値と警報の状態を示すビット（Ａ〜Ｐ）を挿入し、次段のセル化／デセル化部４０３へ転送し、セル化／デセル化部４０３では順次転送される１バイトのデータを蓄積し、１セル分となったところでＡＴＭセルヘッダ３０１を付加し、ＡＴＭスイッチインタフェース部４０４ヘと送出するようにしたことである。
【００２２】
図１は、本発明の主要部である警報バイト生成／分離部４０２の実施形態を示すブロックであり、警報状態ラッチ部１０１、４ビットカウンタ１０２、警報バイト送出部１０３、デコーダ部１０４、警報状態更新部１０５で構成される。
【００２３】
この構成において、６．３Ｍ回線フレーム終端部４０１からの警報情報は、警報状態ラッチ部１０１にてラッチされ、４ビットカウンタ１０２の出力４ビットと共に警報バイト送出部１０３へ入力される。
【００２４】
警報バイト送出部１０３では、４ビットカウンタ１０２の出力４ビットによって警報Ａ〜Ｐを１つずつ選択し、図２に示すような予め設定された警報情報とコード値との対応に基づき、４ビットのコード値と警報の状態を示すビット（Ａ〜Ｐ）とに予備の３ビットＸ，Ｘ，Ｘを加えて１バイトのデータとして生成し、次段のセル化／デセル化部４０３へ転送される。
【００２５】
セル化／デセル化部４０３では、順次入力された１６種類の１バイトのデータを順次蓄積し、１セル分となったところで図３に示すようにセルヘッダ３０１を付加してこれを警報情報セルとしてＡＴＭスイッチインタフェース部４０４に送出する。
【００２６】
逆にＡＴＭスイッチインタフェース部４０４からの警報情報セルは、セル化／デセル化部４０３でデセル化され、１バイトのデータとしてデコーダ部１０４に入力され、各警報が含まれる１バイトのデータの所定の４ビットのコード値をデコードし、デコーダ部１０４では、図２に示すような予め設定された警報情報とコード値との対応に基づき警報状態更新部１０５での状態を更新するためのラッチパルスを生成する。
【００２７】
警報状態更新部１０５では、警報情報が含まれる１バイトのデータのうち警報の状態を示すビット（Ａ〜Ｐ）を参照し、デコーダ部１０４からのラッチパルスにより警報の状態を更新し、６．３Ｍ回線フレーム終端部４０１へ転送する。
【００２８】
このように、本実施形態では、ＡＴＭ交換機内２，３の回線インタフェース部４ａ，４ｂに設けられる警報バイト生成／分離部４０２において、回線からＡＴＭスイッチ方向では、回線伝送フレームに挿入されている警報情報を抽出し、予め設定した警報情報とコード値との対応に従い１バイトのデータの中にコード値と警報の状態を示すビット挿入し、次段のセル化／デセル化部へ４０３へ転送し、セル化／デセル化４０３部では順次転送される１バイトのデータを順次蓄積し、１セル分となったところでＡＴＭセルヘッダを付加し、ＡＴＭスイッチインタフェース部４０４ヘと送出し、また、ＡＴＭスイッチインタフェース部４０４から回線方向では、セル化／デセル化部４０３からの１バイト警報情報を警報バイト生成／分離部４０２にて１バイトのデータに含まれる警報のコード値をデコードし、その警報状態ビットを参照し、対応する警報情報を更新し、受信された警報に対応する警報転送を行う。あるいは回線伝送フレームの所定の位置にマッピングする機能により、ＡＴＭネットワークで対向するＡＴＭ交換機間での警報情報の転送を行う。
【００２９】
これにより、セル化／デセル化部４０３からの警報情報セルの発生頻度が最小となり、ＡＴＭネットワークで警報転送を行う場合に、ユーザデータの伝送効率の低下を抑えて対向装置間での警報情報の送受を効率良く行うことが可能になる。
【００３０】
【発明の効果】
本発明によれば、警報情報セルに起因するユーザデータの伝送効率の低下を抑え、対向ＡＴＭ交換機間で効率良く警報情報を送受することができる。
【図面の簡単な説明】
【図１】本発明の主要部である警報バイト生成／分離部の実施形態を示すブロック図である。
【図２】警報情報とコード値の対応関係を示すテーブル図である。
【図３】本発明において転送される警報情報のＡＴＭセル構成を示す図である。
【図４】本発明を適用するＡＴＭネットワークシステムの基本構成を示す図である。
【図５】図４における６．３Ｍ回線インタフェース部の構成を示す図である。
【図６】図５における従来の警報バイト生成／分離部の構成を示すブロック図である。
【図７】従来方法において転送される警報情報のＡＴＭセル構成を示す図である。
【符号の説明】
１    ＡＴＭ網
２、３    ＡＴＭ交換機
４ａ，４ｂ    ６．３Ｍ回線インタフェース部
１０１      警報状態ラッチ部
１０２      ４ビットカウンタ
１０３      警報バイト送出部
１０４      デコーダ部
１０５      警報状態更新部
４０１      ６．３Ｍ回線フレーム終端部
４０２      警報バイト生成／分離部
４０３      セル化／デセル化部
４０４      ＡＴＭスイッチインタフェース部
【図１】
0003859949.tif 000002
【図２】
0003859949.tif 000003
【図３】
0003859949.tif 000004
【図４】
0003859949.tif 000005
【図５】
0003859949.tif 000006
【図６】
0003859949.tif 000007
【図７】
0003859949.tif 000008